(57)【要約】  本発明は、水から微量汚染物質、特に薬剤を除去するために設けられる水処理装置から創案されたものである。この水処理装置は、少なくとも１つのハウジング（４８ａ〜４８ｄ）と、少なくとも１つの吸着ユニット（１８ａ〜１８ｄ）とを備え、吸着ユニット（１８ａ〜１８ｄ）は、ハウジング（４８ａ〜４８ｄ）内に配置され、少なくとも１つの動作状態で微量汚染物質を少なくとも部分的に吸着し、少なくとも１つの非特異的吸着要素（５０ａ〜５０ｄ）を備える。吸着ユニット（１８ａ〜１８ｄ）は少なくとも１つの特異的吸着要素（５２ａ〜５２ｄ）を備えることが提案される。【選択図】  図１
2019515785.tif 000002
【特許請求の範囲】
【請求項１】
水から微量汚染物質、特に薬剤を除去するために設けられる水処理装置であって、
少なくとも１つのハウジング（４８ａ〜４８ｄ）と、少なくとも１つの吸着ユニット（１８ａ〜１８ｄ）とを備え、
前記吸着ユニット（１８ａ〜１８ｄ）が、前記ハウジング（４８ａ〜４８ｄ）内に配置され、少なくとも１つの動作状態で前記微量汚染物質を少なくとも部分的に吸着し、少なくとも１つの非特異的吸着要素（５０ａ〜５０ｄ）を備える、水処理装置において、
前記吸着ユニット（１８ａ〜１８ｄ）が少なくとも１つの特異的吸着要素（５２ａ〜５２ｄ）を備えることを特徴とする、水処理装置。
【請求項２】
前記非特異的吸着要素（５０ａ〜５０ｄ）および前記特異的吸着要素（５２ａ〜５２ｄ）が互いに少なくとも部分的に接触していることを特徴とする、請求項１に記載の水処理装置。
【請求項３】
前記非特異的吸着要素（５０ａ〜５０ｄ）および前記特異的吸着要素（５２ａ〜５２ｄ）が互いの内部に少なくとも部分的に配置されていることを特徴とする、請求項１または２に記載の水処理装置。
【請求項４】
前記吸着ユニット（１８ａ〜１８ｄ）が、少なくとも１０％程度、最大で９８％の前記非特異的吸着要素（５０ａ〜５０ｄ）からなることを特徴とする、請求項１〜３のいずれか一項に記載の水処理装置。
【請求項５】
前記吸着ユニット（１８ａ〜１８ｄ）が、少なくとも２％程度、最大で９０％の前記特異的吸着要素（５２ａ〜５２ｄ）からなることを特徴とする、請求項１〜４のいずれか一項に記載の水処理装置。
【請求項６】
前記吸着ユニット（１８ａ〜１８ｄ）が、前記吸着ユニット（１８ａ〜１８ｄ）の本体（５４ａ〜５４ｄ）を少なくともかなりの程度形成する少なくとも１つの吸着体を備えることを特徴とする、請求項１〜５のいずれか一項に記載の水処理装置。
【請求項７】
前記非特異的吸着要素（５０ａ〜５０ｄ）が前記本体（５４ａ〜５４ｄ）を少なくとも部分的に備えることを特徴とする、請求項６に記載の水処理装置。
【請求項８】
前記非特異的吸着要素（５０ａ〜５０ｄ）が少なくとも１つの有機吸着体を備えることを特徴とする、請求項１〜７のいずれか一項に記載の水処理装置。
【請求項９】
前記非特異的吸着要素（５０ａ〜５０ｄ）が少なくとも１つの鉱物吸着体を備えることを特徴とする、請求項１〜８のいずれか一項に記載の水処理装置。
【請求項１０】
前記特異的吸着要素（５２ａ〜５２ｄ）が少なくとも１つの逆相吸着体を備えることを特徴とする、請求項１〜９のいずれか一項に記載の水処理装置。
【請求項１１】
前記特異的吸着要素（５２ａ〜５２ｄ）が少なくとも１つのイオン交換吸着体を備えることを特徴とする、請求項１〜１０のいずれか一項に記載の水処理装置。
【請求項１２】
前記特異的吸着要素（５２ａ〜５２ｄ）が、水素ブリッジによる吸着のために設けられる少なくとも１つの吸着体を備えることを特徴とする、請求項１〜１１のいずれか一項に記載の水処理装置。
【請求項１３】
前記特異的吸着要素（５２ａ〜５２ｄ）が少なくとも１つの錯化剤吸着体を備えることを特徴とする、請求項１〜１２のいずれか一項に記載の水処理装置。
【請求項１４】
請求項１〜１３のいずれか一項に記載の水処理装置を備えるとともに、流れの方向に対して前記水処理装置の上流側に配置される少なくとも１つの前置ろ過ユニット（５６ａ）を備える、システム。
【発明の詳細な説明】
【技術分野】
【０００１】
本発明は、請求項１の前文に記載の水処理装置に関する。
【背景技術】
【０００２】
汚染物質を除去すべく水を処理するために非特異吸着要素を有する吸着ユニットを使用する水処理装置が既に開発されている。しかし、処理効率は水中に含まれている汚染物質のほとんどに対して十分であるのに対し、この種の水処理装置の微量汚染物質（ｍｉｃｒｏ−ｐｏｌｌｕｔａｎｔｓ）に対する処理効率は顕著に低下する。その理由は、これらの汚染物質は一方では非常に低い濃度で存在し、他方では少なくとも相当に低い分子量を有するからである。個々の微量汚染物質の濃度は、通常は環境および人間の臨界許容限度より下にあるが、様々な微量汚染物質の和パラメータが考慮されていない。特に、或る微量汚染物質が不十分にしか選択的に除去されない。したがって、水からこれらの汚染物質をより高い効率で除去することは非常に重要である。
【発明の概要】
【発明が解決しようとする課題】
【０００３】
本発明の目的は、特に、この種の装置の効率、特に処理効率に関して改善した特性を有する装置を提供することである。この目的は、本発明によれば請求項１の特徴によって達成されるのに対して、本発明の好適な実施形態および発展形は従属請求項から得られる。
【課題を解決するための手段】
【０００４】
本発明は、水、特に飲料水から微量汚染物質、特に薬剤を除去するために設けられる水処理装置に関し、この水処理装置は、少なくとも１つのハウジングと、少なくとも１つの吸着ユニットとを備え、吸着ユニットは、ハウジング内に配置され、少なくとも１つの動作状態で微量汚染物質を少なくとも部分的に吸着し、少なくとも１つの非特異的吸着要素を備える。
【０００５】
吸着ユニットは少なくとも１つの特異的吸着要素を備えることが提案される。特に、水処理装置はフィルタユニットをさらに備えることができる。効率、特に処理効率は結果として改善され得る。特に、水処理の質が改善され得る。水は好適には、特定の微量汚染物質に関して選択的に処理することもできる。
【０００６】
「設けられる（ｐｒｏｖｉｄｅｄ）」という用語は、ここでは特に、特別に設計されかつ／または装備されることを意味すると理解されるべきである。物体が特定の機能のために設けられることは、特に、その物体が少なくとも１つの適用例および／または動作状態でこの特定の機能を果たしかつ／または実行することを意味すると理解されるべきである。「水処理装置」は、特に、水、特に飲料水を処理する、精製する（ｐｕｒｉｆｙｉｎｇ）、浄化する（ｃｌａｒｉｆｙｉｎｇ）、清浄にする（ｃｌｅａｎｉｎｇ）、かつ／またはパージする（ｐｕｒｇｉｎｇ）ために設けられ、好適には、微量汚染物質を、特に、微量汚染物質が水からろ過されかつ／または吸着され、特に吸収されかつ／または特に好ましくは吸着されることで除去するために設けられる装置を意味すると理解されるべきである。水処理装置は、特に、水処理カートリッジ、水処理用システム、および／または下水処理プラントなどの水処理プラントの特に少なくとも一部、特に部分組立体である。特に、水処理装置は、水処理カートリッジ、水処理用システム、および／または水処理プラントを完全に備えることができる。特に、水処理装置は、家庭給水設備に、好ましくは給水栓に好適には直接連結することができ、特に、流れ方向に関してそれらの設備の上流側に配置される。水処理装置の「動作状態」は、特に、水が水処理装置に十分に流される状態を意味すると理解されるべきである。
【０００７】
「微量汚染物質（ｍｉｃｒｏ−ｐｏｌｌｕｔａｎｔｓ）」という用語は、特に、低濃度で、より具体的には特に１０，０００ｐｐｍ未満、好ましくは１０００ｐｐｍ未満、より好ましくは１００ｐｐｍ未満、特に好ましくは１０ｐｐｍ未満の濃度で水中に存在し、特に水中に溶解している、工業化学物質、薬剤、特にカルバマゼピン、スルファメトキサゾール、ジクロフェナクおよび／またはエチニルエストラジオール、重金属、および／または農薬などの汚染物質を意味すると理解されるべきである。特に、微量汚染物質の分子量は、１００ｋＤａ未満、好ましくは１０ｋＤａ未満、より好ましくは１ｋＤａ未満、特に好ましくは０．１ｋＤａ未満である。
【０００８】
「吸着ユニット」は、特に、少なくとも１つの吸着要素を有するユニットを意味すると理解されるべきであり、このユニットは、微量汚染物質、特に溶解微量汚染物質を、特に少なくとも１つの吸着体、好ましくは複数の吸着体を用いて、より具体的には特に表面上に、好ましくは空洞内に、特に好ましくは吸着体の細孔内に少なくとも概ねしっかりと結合しかつ／または吸着するために設けられる。特に、微量汚染物質を結合するための下にある吸着機構は共有結合とは異なる。吸着要素は、好適には、クーロン相互作用および／またはファンデルワールス相互作用によって微量汚染物質を少なくとも概ねしっかりと結合するために設けられる。「微量汚染物質を少なくとも概ねしっかりと結合する」という表現は、特に、吸着した微量汚染物質が、洗い流し試験において、結合物質量の最大で１パーセント、好適には最大で０．５パーセント、好ましくは最大で０．１パーセント程度を少なくとも１時間、好適には少なくとも２時間、好ましくは少なくとも４時間の期間内に水で洗い流すことにより洗い落とされることを意味すると理解されるべきである。吸着ユニットは、特に少なくとも部分的に化学的に再生可能である。「化学的に再生可能な（ｃｈｅｍｉｃａｌｌｙ  ｒｅｇｅｎｅｒａｂｌｅ）」という用語は、特に、少なくとも１つの吸着体が化学反応によって再生され得ることを意味すると理解されるべきである。特に、吸着体は、酸および／または灰汁、好ましくは水酸化ナトリウムによって化学的に再生され得る。吸着体は、特に、食塩水、好ましくはＮａＣｌ溶液によっても化学的に再生可能である。別法としてまたは追加として、吸着体は、特に例えば熱および／または電磁放射の形でエネルギーにさらされることにより、特に光、好ましくは紫外線光にさらされることにより再生され得る。吸着ユニットは、特に、好適に透水性の固体ブロックとしてまたは充填物として形成され、この固体ブロック／充填物は、少なくとも１つの吸着要素によって少なくとも部分的に形成される。
【０００９】
「非特異的吸着要素（ｎｏｎ−ｓｐｅｃｉｆｉｃ  ａｄｓｏｒｐｔｉｏｎ  ｅｌｅｍｅｎｔ）」は、特に、少なくとも１つの非特異的吸着体を備える吸着要素を意味すると理解されるべきであり、この吸着要素は、複数の微量汚染物質を化学的に非特異的に、特に同程度に、好ましくは微量汚染物質の官能基および／または微量汚染物質の電荷とは無関係に吸着するために設けられる。非特異的吸着体は、特に様々な微量汚染物質を立体的に依存する形で吸着するために設けられる。非特異的吸着要素は、好適には複数の非特異的吸着体を備えることができる。「特異的吸着要素（ｓｐｅｃｉｆｉｃ  ａｄｓｏｒｐｔｉｏｎ  ｅｌｅｍｅｎｔ）」は、特に、少なくとも１つの特異的吸着体を備える吸着要素を意味すると理解されるべきであり、この吸着要素は、特定の微量汚染物質を化学的または物理的に特異的な形で、特に異なる程度に、好ましくは微量汚染物質の官能基および／または微量汚染物質の電荷に依存して吸着するために設けられる。特異的吸着体は、特に、いくつかの微量汚染物質を立体的に独立に吸着するために設けられる。特異的吸着要素は、好適には複数の吸着体を備えることができる。
【００１０】
別法としてまたは追加として、吸着ユニットは、別の本体、例えばフィルタユニットと少なくとも部分的に一体に、より具体的には好適には含侵および／またはコーティングの形で形成され得る。「少なくとも部分的に一体に形成される（ｆｏｒｍｅｄ  ａｔ  ｌｅａｓｔ  ｐａｒｔｉｉａｌｌｙ  ｉｎ  ｏｎｅ  ｐｉｅｃｅ）」という表現は、この文脈では特に、少なくとも１つの物体の少なくとも１つの構成要素が少なくとも１つの別の物体の少なくとも１つの構成要素と一体に形成されることを意味すると理解されるべきである。「一体に（ｉｎ  ｏｎｅ  ｐｉｅｃｅ）」という用語は、特に、少なくとも物質間接合によって、例えば溶接プロセス、接着プロセス、射出成形プロセス、および／または当業者に好適に見える別のプロセスによって連結されることを意味すると理解されるべきである。「一体に」という用語は、好適には「一部分に（ｉｎ  ｏｎｅ  ｐａｒｔ）」を意味すると理解されるべきでもある。「一部分に」という用語は、特に、例えば、鋳造から生産することにより、および／または、好適には個別のブランクから一成分または多成分射出成形法で、特に好ましくはスピニング法で、特に、フィルタユニットが一体化吸着体で特に相反転プロセスで生産される反応スピニングなどの湿式スピニング法で生産することにより、単一部品に形成されることを意味すると理解されるべきである。
【００１１】
「フィルタユニット」は、特に、フィルタ膜の細孔で微量汚染物質を保持することにより水から微量汚染物質を除去するために設けられる膜フィルタユニットを意味すると理解されるべきである。フィルタユニットは特に、少なくとも１つのフィルタ要素、好ましくは少なくとも５つのフィルタ要素、好ましくは少なくとも１０個のフィルタ要素、特に好ましくは少なくとも２０個のフィルタ要素を備える。フィルタ要素は、特にフィルタ膜として、好適には中空繊維のフィルタ膜として形成され、フィルタ要素の壁がフィルタ膜を形成し、中空チャンネルを形成する。原理的には、フィルタ要素は、水が閉鎖された中空チャンネルからフィルタ要素を通って外部空間にまで通過するときに中空チャンネル内で誘導される水を清浄にすることができ、したがって中空チャンネルを流出した水が清浄にされる、あるいは、フィルタ要素は、好ましくは外部空間から中空チャンネルに入る水を清浄にすることができ、次いでこの水は中空チャンネル内で清浄な状態で誘導される。
【００１２】
連続的な吸着を実現するために、さらに非特異的吸着要素と特異的吸着要素との間の水の汚染を防止するためにも、非特異的吸着要素および特異的吸着要素は互いに少なくとも部分的に接触することが提案される。非特異的吸着要素および特異的吸着要素は特に互いに直接隣接する。同じ流れプロファイルが、好適には動作状態で少なくとも略同時に非特異的吸着要素および特異的吸着要素に流される。
【００１３】
非特異的吸着要素および特異的吸着要素は互いの内部に少なくとも部分的に配置されることも提案される。ここで、吸着要素のうちの少なくとも１つが他の吸着要素のための支持体として形成され得る。非特異的吸着要素および特異的吸着要素は、互いに混合され、特に互いに均一に混合されることが好ましい。特に、これにより非特異的吸着および特異的吸着を同時に行うことができる。非特異的吸着および特異的吸着の均一性は改善され得ることが好ましい。
【００１４】
本発明の好ましい一実施形態では、吸着要素は少なくとも１０％程度、最大で９８％の非特異的吸着要素からなることが提案される。吸着要素は好適には、少なくとも２％程度、最大で９０％の特異的吸着要素からなる。吸着ユニットはさらに、特に少なくとも部分的に補強剤からなることができ、補強剤は、特に吸着ユニットの生産時に吸着ユニットを安定させるために設けられることが好ましい。吸着ユニットは、特に好ましくは特異的吸着要素および非特異的吸着要素によって完全に形成される。特異的吸着要素および非特異的吸着要素の割合は、好適には、特異的吸着要素および非特異的吸着要素の割合の合計が吸着ユニットの１００％になるように選択される。例えば、吸着ユニットが１０％の割合の非特異的吸着要素からなる場合、吸着ユニットは特に９０％の割合の特異的吸着要素からなる。これにより水処理装置の処理効率をさらに改善することができる。これは、特に、非特異的吸着要素および特異的吸着要素の割合を好適には、処理されるべき水を汚染している微量汚染物質の構成に適合させることができるからである。
【００１５】
吸着ユニットは少なくとも１つの吸着体を備え、吸着体は吸着ユニットの本体を少なくともかなりの程度形成することも提案される。本体は、特に吸着ユニットのブロックおよび／または充填部を少なくともかなりの程度形成し、特に非特異的吸着要素および／または特異的吸着要素のための支持体として設けられる。「少なくともかなりの程度」という表現は、ここでは、特に５０％超、好適には６５％超、好ましくは７５％超、特に好ましくは８５％超、特に好適には少なくとも９５％を意味すると理解されるべきである。これにより生産を簡略化することができる。コンパクトな構造を実現することもできる。
【００１６】
非特異的吸着要素は本体を少なくとも部分的に形成することも提案される。本体は、特に、非特異的吸着体によって少なくともかなりの程度、好適には完全に形成される。特に、本体は補強剤によって少なくとも部分的に形成され得る。これにより生産をさらに簡略化することができる。これは、本体は、特異的吸着要素の異なる特異的吸着体のための支持体として可変的に使用され得るからである。
【００１７】
本発明の好ましい一実施形態では、非特異的吸着要素は少なくとも１つの有機吸着体を備えることが提案される。特に、有機吸着体は活性炭、好ましくは粒状活性炭、特に好ましくは焼結粒状活性炭である。特に、活性炭は、特に互いに絡み合わされた繊維、好ましくは織り合わされた繊維の形で提供されることが考えられる。有機吸着体は、特に、本体を少なくとも部分的に、好ましくは少なくともかなりの程度、特に好ましくは完全に形成する。非特異的吸着要素は、複数の好ましくは異なる有機吸着体も備えることができる。これにより生産コストを節減することができる。
【００１８】
非特異的吸着要素は少なくとも１つの鉱物吸着体を備えることも提案される。鉱物吸着体は好ましくは５％〜２０％程度の非特異的吸着要素を形成する。鉱物吸着体は特にベントナイト、珪藻土、シリカゲル、アルミナおよび／または酸化亜鉛である。非特異的吸着要素は複数の鉱物吸着体も備えることができる。これにより処理効率をさらに改善することができる。さらに、鉱物吸着体の割合を小さく抑えることができるので、コストを低く抑えることができる。
【００１９】
特に薬剤の特異的吸着を改善するために、特異的吸着要素は少なくとも１つの逆相吸着体を備えることが提案される。「逆相吸着体」は、特に官能化配位子を含むエチルビニルベンゼンなどの好適に架橋された官能化有機ポリマーを意味すると特に理解されるべきである。配位子は、好適には疎水性官能化のために設けられ得る。特異的吸着要素は、特に、好ましくは異なる特性、特に異なる官能基を有する複数の逆相吸着体を備えることができ、逆相吸着体は、具体的には少なくとも１つの微量汚染物質、特に正確には１つの微量汚染物質を吸着するために設けられる。
【００２０】
特に、重金属、好適には工業化学物質、薬剤および／または農薬に含まれている金属の特異的吸着を改善するために、特異的吸着要素は少なくとも１つのイオン交換吸着体を備えることが提案される。「イオン交換吸着体」は、特に特異的吸着体を意味するように理解されるべきであり、特異的吸着体は、好ましくは吸着原理としてクーロン相互作用を使用するものであり、特に液体中に溶解している微量汚染物質のイオンを吸着および／または交換するために特に設けられる。イオン交換吸着体は、好適には陽イオン交換吸着体および／または陰イオン交換吸着体として形成され得る。イオン交換吸着体は、特に官能化親水性ポリマー、例えば官能化シリカゲル、官能化セルロースおよび／または官能化デキストランである。特異的吸着体の陰イオン交換吸着体および／または陽イオン交換吸着体としての機能は特に官能化に依存する。アンモニウム基、好ましくは第４級アンモニウム基、ジエチルアミノエチル（ＤＥＡＥ）、トリメチルヒドロキシプロピル（ＱＡ）、第４級アミノエチル（ＱＡＥ）、第４級アミノメチル（Ｑ）、トリエチルアミノメチル（ＴＥＡＥ）、トリエチルアミノプロピル（ＴＥＡＰ）、およびポリエチレンイミン（ＰＥＩ）が、特に、特異的吸着体の陰イオン交換吸着体としての官能化に使用され得る。カルボキシル基、硫酸基、特にスルホン酸塩（Ｓ）、スルホエチル（ＳＥ）、スルホプロピル（ＳＰ）、リン酸基、特にオルトリン酸塩（Ｐ）、メタクリレートおよび／またはカルボキシメチル（ＣＭ）が、好適には特に、特異的吸着体の陽イオン交換吸着体としての官能化に使用され得る。イオン交換吸着体は特に好ましくは少なくとも１つの官能化アガロースを含む。特に、アガロースは、架橋アガロースとして、より具体的には特にセファロースとして、好ましくは、特にセファロースビーズとしても知られるセファロースペレットとして形成される。アガロースは、特に好ましくは、アンモニウム基、好ましくは第４級アンモニウム基、特に好ましくはジエチルアミノエチル（ＤＥＡＥ）によって官能化される。特異的吸着体は、好ましくは陰イオン交換吸着体として形成される。特異的吸着要素は、特に複数の、好ましくは異なるイオン交換吸着体も備えることができる。
【００２１】
特異的吸着要素は少なくとも１つの吸着体を備え、この吸着体は水素ブリッジによる吸着のために設けられることも提案される。特異的吸着要素は好ましくは、線状、特に架橋ポリビニルピロリドン（ＰＶＰＰ）および／またはＰＶＰＰの共重合体、例えば、特に異なる分子量および架橋度のビニルピロリドン／酢酸ビニルを含む。これにより環境および／または健康適合性をさらに改善することができる。特異的吸着要素は、特に複数の、好ましくは異なる吸着体も備えることができ、この吸着体は水素ブリッジによる吸着のために設けられる。これにより薬剤中に生じるタンパク質の特異的吸着を改善することができる。
【００２２】
本発明の特に好ましい一実施形態では、特異的吸着要素は少なくとも１つの錯化剤吸着体を備えることが提案される。錯化剤吸着体は、特に、少なくとも１つの荷電配位子、好ましくは複数の荷電配位子、特にカルボキシル基を含む物質を意味すると理解されるべきであり、荷電配位子は、少なくとも１つの荷電微量汚染物質、好ましくは重金属イオンを吸着し、特に結合する。吸着中、錯化剤吸着体および微量汚染物質は特にキレート錯体を形成する。錯化剤吸着体は、特にエチレンジアミン四酢酸（ＥＤＴＡ）とすることができる。特異的吸着要素は、特に複数の、好ましくは異なる錯化剤吸着体も備えることができる。特に、これにより重金属、好適には工業化学物質、薬剤および／または農薬に含まれている金属の特異的吸着をさらに改善することができる。
【００２３】
水処理装置を備えるとともに、流れの方向に対して水処理装置の上流側に配置される少なくとも１つの前置ろ過ユニットを備えるシステムも提案される。前置ろ過ユニットは、水処理装置に達したすべての水が水処理装置に入る前に前置ろ過ユニットを通過しているように配置されることが好ましい。「前置ろ過ユニット」は、特に、水処理装置の目詰まりを防止するために、特に水処理装置内で除去される微量汚染物質より大きい粒子、特に０．０１μｍより大きいサイズ、好ましくは０．１μｍより大きいサイズ、好ましくは１μｍより大きいサイズ、特に好ましくは１０μｍより大きいサイズを有する粒子を有する汚染物質を除去するために設けられるユニットを意味すると理解されるべきである。特に、処理効率を改善した浄水用システムが提供され得る。
【００２４】
水処理装置は、ここでは上述した適用例および実施形態に限定されるものではない。特に、水処理装置は、本明細書に記載されている動作原理に適合するために、本明細書に指定されている数とは異なる数の個々の要素、構成要素およびユニットを有することができる。加えて、指定された限度内にある値が開示されることも考えられ、本開示に明記されている値の範囲から任意に選択可能である。
【００２５】
図面の下記の説明からさらなる利点が明らかとなろう。図面は、本発明の例示的な諸実施形態を示す。図面、説明、および特許請求の範囲は、非常に多くの特徴を組み合わせて含んでいる。当業者であるならば、好適には、上記特徴を個々に考慮し、その特徴を組み合わせて有用なさらなる組合せも形成するであろう。
【図面の簡単な説明】
【００２６】
【図１】水処理装置を有する水処理カートリッジの断面図である。
【図２】水処理装置のカートリッジの分解図である。
【図３】水処理装置の一部の分解図である。
【図４】水処理装置のフィルタユニットの一部の斜視図である。
【図５】水処理装置の吸着ユニットの一部の概略断面図である。
【図６】水処理装置および前置ろ過ユニットを有するシステムの概略断面図である。
【図７】別の水処理装置の断面図である。
【図８】代替的な水処理装置の断面図である。
【図９】別の代替的な水処理装置の断面図である。
【発明を実施するための形態】
【００２７】
図１は、水処理装置を有する水処理カートリッジ５７ａの断面図を示す。水処理装置は、水、特に飲料水から微量汚染物質、特に薬剤を除去するために設けられる。この目的のために、水処理カートリッジ５７ａは、水を処理するためのシステム内に設置するために設けられる。
【００２８】
図２は、水処理装置のカートリッジ４０ａを示す。カートリッジ４０ａは管状に形成される。カートリッジ４０ａは円筒ジャケット５８ａを備える。円筒ジャケット５８ａは、円筒ジャケット５８ａの内部に受入空間６０ａを形成する。受入空間６０ａは、水処理装置の他のユニットを収容するために使用される。カートリッジ４０ａは開口部４２ａを備え、開口部４２ａは、軸線方向４４ａに考慮して互いに対して周方向４６ａにオフセットして配置される。開口部４２ａは、円筒ジャケット５８ａに切抜きによって、特に軸線方向４４ａに対して垂直な切抜きによって形成される。カートリッジ４０ａはカートリッジ連結器６２ａを備える。カートリッジ連結器６２ａは、水処理装置を水管路に連結するために設けられる。カートリッジ連結器６２ａは、水処理装置を連結するためのねじ山を備える。カートリッジ連結器６２ａは、一方の側から、特に軸線方向４４ａに円筒ジャケット５８ａを閉鎖する。カートリッジ４０ａはカートリッジ端末具６４ａも備える。カートリッジ端末具６４ａは、他方の側から、特に軸線方向４４ａに円筒ジャケット５８ａを閉鎖する。カートリッジ４０ａはプラスチック材料から形成される。カートリッジ４０ａは、好適にはポリプロピレンから、より具体的には特に好ましくはポリプロピレンホモポリマー（ＰＰ−Ｈ）から形成される。
【００２９】
図３は、水処理装置の一部の分解図を示す。水処理装置はフィルタハウジング３２ａを備える。フィルタハウジング３２ａは組立状態のときにカートリッジ４０ａの受入空間６０ａに配置される。水処理装置のフィルタユニット１０ａがフィルタハウジング３２ａ内に少なくとも部分的に配置される。フィルタユニット１０ａは、フィルタユニット１０ａの延びの主方向を考慮してフィルタハウジング３２ａ内に５０％未満程度に配置される。フィルタハウジング３２ａは中空円筒体として形成される。フィルタハウジング３２ａは円筒ジャケットを備え、円筒ジャケットは、水処理装置の保持要素２０ａを少なくとも部分的に取り囲む。水処理装置は吸着ハウジング３４ａも備える。吸着ハウジング３４ａは組立状態のときにカートリッジ４０ａの受入空間６０ａに配置される。水処理装置の吸着ユニット１８ａが吸着ハウジング３４ａ内に配置される。吸着ハウジング３４ａは中空円筒体として形成される。吸着ハウジング３４ａは円筒ジャケットを備え、円筒ジャケットは吸着ユニット１８ａを少なくとも部分的に取り囲む。水が水処理装置に流される動作状態では、フィルタハウジング３２ａは、流れ方向を考慮して吸着ハウジング３４ａの上流側に配置される。
【００３０】
水処理装置はスクリーンユニット３８ａを備える。スクリーンユニット３８ａは、フィルタハウジング３２ａおよび吸着ハウジング３４ａを互いに隔てる。スクリーンユニット３８ａはさらに、吸着ハウジング３４ａを少なくとも一方の側から少なくとも部分的に閉鎖する。スクリーンユニット３８ａはスクリーンカバー６８ａを備える。スクリーンカバー６８ａは、吸着ユニットを一方の側から少なくとも部分的に閉鎖する。スクリーンカバー６８ａはさらに、吸着ユニット１８ａをフィルタユニット１０ａから隔てる。スクリーンカバー６８ａは、吸着ハウジング３４ａに確実な係合状態で連結される。スリーンカバー６８ａは、吸着ハウジング３４ａに強制力によるロック態様でかつ／または物質間接合でも連結され得る。別法としてまたは追加として、スクリーンカバー６８ａは吸着ハウジング３４ａと一体に形成され得る。スクリーンカバー６８ａは複数の貫通開口部を備える。貫通開口部は、フィルタユニット１０ａと吸着ユニット１８ａとの間で水が流れるよう設けられる。
【００３１】
スクリーンユニット３８ａは少なくとも１つのフリット７０ａを備える。フリット７０ａは円板形状である。フリット７０ａは多孔質材料から作製される。フリット７０ａは架橋ポリエチレンから作製される。フリット７０ａは、スクリーンユニット３８ａの吸着ユニット１８ａに面する側に配置される。フリット７０は吸着ハウジング３４ａ内に配置される。フリット７０ａは、流れの方向を考慮してスクリーンカバー６８ａの後段に、特に吸着ユニット１８ａの前段に配置される。フリット７０ａは、吸着ユニット１８ａの汚染を防止するために、好ましくは吸着ユニット１８ａが吸着ハウジング３４ａから少なくとも部分的に脱落するのを防止するために設けられる。
【００３２】
スクリーンユニット３８ａは別のスクリーンカバー７２ａを備える。別のスクリーンカバー７２ａは、スクリーンカバー６８ａと少なくとも概ね同等に形成される。別のスクリーンカバー７２ａは、吸着ハウジング３４ａと一体に形成される。別のスクリーンカバー７２ａは吸着ハウジング３４ａとは別に形成され、特に強制力によるロック状態および／または確実なロック状態で吸着ハウジング３４ａに連結されることが考えられる。別のスクリーンカバー７２ａは、吸着ハウジング３４ａを少なくとも一方の別の側から少なくとも部分的に閉鎖する。別のスクリーンカバー７２ａは、流れの方向を考慮して吸着ユニット１８ａの後段に配置される。スクリーンユニット３８ａは別のフリット７４ａも備える。別のフリット７４ａは、第１のフリット７０ａと少なくとも概ね同等に形成される。別のフリット７４ａは吸着ハウジング３４ａ内に配置される。別のフリット７４ａは、流れの方向を考慮して吸着ユニット１８ａの後段に、特に別のスクリーンカバー７２ａの前段に配置される。
【００３３】
水処理装置は連結ユニット３６ａを備える。連結ユニット３６ａは、組立状態で、吸着ハウジング３４ａおよびフィルタハウジング３２ａを互いに、特に確実な係合状態で連結する。別法としてまたは追加として、連結ユニット３６ａは、強制力によるロック連結および／または物質間接合のために設けることもできる。例えば、連結ユニット３６ａは追加の強制力によるロック連結用のねじ部を備えることが考えられる。連結ユニット３６ａは少なくとも１つの連結要素７６ａを備え、連結要素７６ａは、組立状態で、フィルタハウジング３２ａを吸着ハウジング３４ａに連結する。連結要素７６ａは、吸着ハウジング３４ａおよび／またはフィルタハウジング３２ａとは別個に形成される。別法としてまたは追加として、連結要素７６ａは、フィルタハウジング３２ａおよび／または吸着ハウジング３４ａと少なくとも部分的に一体に形成され得る。連結要素７６ａはスリーブとして形成される。
【００３４】
連結ユニット３６ａは少なくとも１つの連結要素受け部７８ａを備え、連結要素受け部７８ａは連結要素７６ａを受け入れるために設けられる。連結要素受け部７８ａは連結要素７６ａに対応して形成される。連結要素受け部７８ａは、吸着ハウジング３４ａに陥凹部として形成される。連結ユニット３６ａは別の連結要素受け部８０ａを備える。別の連結要素受け部８０ａは、連結要素受け部７８ａと少なくとも概ね同等に形成される。別の連結要素受け部８０ａは、フィルタハウジング３２ａに陥凹部として形成される。
【００３５】
水処理装置の組立て中に、別のフリット７４ａは吸着ハウジング３４ａ内に配置される。吸着ユニット１８ａもまた、吸着ハウジング３４ａ内に、特に、流れ方向を考慮して別のフリット７０ａの後段に配置される。フリット７０ａは、吸着ハウジング３４ａ内に、特に、流れ方向を考慮して吸着ユニット１８ａの後段に配置される。スクリーンカバー６８ａは吸着ハウジング３４ａを閉鎖する。フィルタユニット１０ａはフィルタハウジング３２ａ内に配置される。フィルタハウジング３２ａは、流れ方向を考慮して吸着ハウジング３４ａの後段に配置される。連結ユニット３６ａは、吸着ハウジング３４ａおよびフィルタハウジング３２ａを連結する。連結要素７６ａは連結要素受け部７８ａに係合する。連結要素７６ａは別の連結要素受け部８０ａに係合する。フィルタハウジング３２ａおよび吸着ハウジング３４ａはカートリッジ４０ａの受入空間６０ａに配置される。円筒ジャケット５８ａはカートリッジ端末具６４ａによって閉鎖される。円筒ジャケット５８ａはカートリッジ連結器６２ａにも連結される。カートリッジ４０ａは外側ハウジング８２ａ内に配置することもできる（図６参照）。
【００３６】
フィルタユニット１０ａの一部が図４に概略的に示されている。フィルタユニット１０ａは、水処理装置の動作状態で水を少なくとも１回ろ過をするために設けられる。フィルタユニット１０ａは膜フィルタユニットとして形成される。フィルタユニット１０ａは少なくとも１つのフィルタ要素１２ａを備える。フィルタユニット１０ａは特に多数のフィルタ要素１２ａ、２２ａを備えるが、明瞭にするために図４には互いに同等の２つのフィルタ要素１２ａ、２２ａだけが示されている。フィルタ要素１２ａは管状である。フィルタ要素１２ａはフィルタ膜として形成される。フィルタ膜は中空繊維フィルタ膜である。フィルタ要素１２ａは壁を備える。壁はフィルタ膜を形成する。壁はフィルタ要素１２ａの中空チャンネルを画す。フィルタ要素１２ａは第１の端部分１４ａおよび第２の端部分１６ａを備える。端部分１４ａ、１６ａは、フィルタ要素１２に沿って最大で５ｃｍにわたって延びる。端部分１４ａ、１６ａは、水処理装置の保持要素２０ａによって互いに対して固定的に配置される。フィルタ要素１２ａの端部分１４ａ、１６ａは保持要素２０ａに固定的に連結される。保持要素２０ａはフラットブロックとして形成される。保持要素２０ａは、物質間接合によってフィルタハウジング３２ａに連結される。保持要素２０ａは、好適にはバインダ８６ａから形成される。バインダ８６ａはエポキシ樹脂である。別のバインダ８６ａ、例えば接着剤および／またはプラスチック材料が使用され得ることも考えられる。端部分１４ａ、１６ａは、フィルタ要素１２ａを組み立てる前に、バインダ８６ａがフィルタ要素１２ａ、特にフィルタ要素１２ａの壁を汚染しないように密封される。組立て中に、フィルタハウジング３２ａはバインダ８６ａで充填される。フィルタ要素１２ａの端部分１４ａ、１６ａはバインダ８６ａ内に配置され、その際、バインダ８６ａはまだ液体である。バインダ８６ａは、保持要素２０ａを形成するように硬化される。硬化したバインダ８６ａは、フィルタ要素１２ａの端部分１４ａ、１６ａの開口部が露出されるように研磨される。
【００３７】
フィルタ要素１２ａは組立状態で少なくとも一部が湾曲され、特にループ形状を有する。フィルタ要素１２ａは、フィルタ要素１２ａの端部分１４ａ、１６ａが０°〜９０°の内角を囲むように湾曲される。この場合、端部分１４ａ、１６ａは、フィルタ要素１２ａが好ましくはＵ字形状に湾曲されるように、互いに少なくとも略平行または好ましくは逆行状態である。この場合、内角はその結果として概ね０°である。フィルタ要素１２ａは特に主広がり面２４ａを有する。フィルタ要素１２ａは、フィルタ要素１２ａの全範囲にわたって主広がり面２４ａで横切られる。
【００３８】
フィルタユニット１０ａは少なくとも１つの別のフィルタ要素２２ａも備える。別のフィルタ要素２２ａは、フィルタ要素１２ａと少なくとも概ね同等に形成され、特にフィルタ要素１２ａと同等に形状を定められ、好適には保持要素２０ａに同等に固定される。フィルタ要素１２ａおよび別のフィルタ要素２２ａは互いに長さが異なる。別のフィルタ要素２２ａは、フィルタ要素１２ａを少なくとも部分的に取り囲む。別のフィルタ要素２２ａは別の主広がり面２６ａを有する。組立状態で、別のフィルタ要素２２ａの別の主広がり面２６ａは、フィルタ要素１２ａの主広がり面２４ａとは異なる。フィルタ要素１２ａの主広がり面２４ａおよび別のフィルタ要素２２ａの別の主広がり面２６ａは、互いに或る角度をなして配置される。この場合、フィルタ要素１２ａの主広がり面２４ａおよび別のフィルタ要素２２ａの別の主広がり面２６ａは、互いに対して少なくとも概ね垂直である。主広がり面２４ａ、２６ａは、互いに別の角度、特に２０°〜１６０°をなして配置することもでき、あるいは、互いに少なくとも略平行に配置することもできる。
【００３９】
フィルタユニット１０ａは、フィルタ要素１２ａの群２８ａ（図１参照）も備える。フィルタ要素１２ａの群２８ａは少なくとも１つの追加フィルタ要素１２ａ、特に複数の追加フィルタ要素１２ａを備え、少なくとも１つ／複数の追加フィルタ要素１２ａは、フィルタ要素１２ａと少なくとも概ね同等に形成される。群２８ａのフィルタ要素１２ａは、特に水処理装置のメッシュによって束ねられる。フィルタユニット１０ａは、別のフィルタ要素２２ａの別の群３０ａ（図２参照）も備える。別のフィルタ要素２２ａの別の群３０ａは少なくとも１つの追加別のフィルタ要素２２ａ、特に複数の追加別のフィルタ要素２２ａを備え、これらの１つ／複数の追加別のフィルタ要素２２ａは、別のフィルタ要素２２ａと少なくとも概ね同等である。群３０ａのフィルタ要素２２ａは、特に水処理装置の別のメッシュによって束ねられる。別法としてまたは追加として、フィルタユニット１０ａは、群２８ａ、３０ａまたは追加の群のうちの１つだけを備えることができる。
【００４０】
図５に、吸着ユニット１８ａは断面図で概略的に示されている。吸着ユニット１８ａは非特異的吸着要素５０ａを備える。吸着ユニット１８ａは、少なくとも１０％程度、最大で９８％程度の非特異的吸着要素５０ａからなり得る。この場合、吸着ユニット１８ａは、８０％程度の非特異的吸着要素５０ａからなる。特に、吸着ユニット１８ａは、別の値１０％〜９８％程度の非特異的吸着要素５０ａからなることもできる。
【００４１】
非特異的吸着要素５０ａは少なくとも１つの有機吸着体を備える。この場合、有機吸着体は活性炭である。有機吸着体は、ここでは円柱ブロックの形で存在する。有機吸着体は活性炭、特に焼結粒状活性炭である。別法としてまたは追加として、有機吸着体は、充填物の形で、特に粒状の形で存在することができる。非特異的吸着要素５０ａは本体５４ａを備える。本体５４ａは、吸着ユニット１８ａをかなりの程度まで形成する。吸着ユニット１８ａは吸着体を備え、吸着体は吸着ユニット１８ａの本体５４ａを少なくとも部分的に形成する。この場合は、有機吸着体が本体５４ａを少なくとも部分的に形成する。別法として、有機吸着体は本体５４ａを完全に形成することができる。
【００４２】
非特異的吸着要素５０ａは少なくとも１つの鉱物吸着体も備える。非特異的吸着要素５０ａは少なくとも５％〜２０％程度の鉱物吸着体を備える。この場合、非特異的吸着要素５０ａは５％程度の鉱物吸着体を備える。この場合、鉱物吸着体はベントナイトである。鉱物吸着体もまた、非特異的吸着要素５０ａの本体５４ａを少なくとも部分的に形成する。別法としてまたは追加として、非特異的吸着要素５０ａは、鉱物吸着体として珪藻土、シリカゲル、アルミナおよび／または酸化亜鉛を含むことができる。
【００４３】
吸着ユニット１８ａは特異的吸着要素５２ａを備える。吸着ユニット１８ａは、少なくとも２％程度、最大で９０％の特異的吸着要素５２ａからなり得る。この場合、吸着ユニット１８ａは、２０％程度の特異的吸着要素５２ａからなる。特に、吸着ユニット１８ａは、別の値２％〜９０％程度の特異的吸着要素５２ａからなることもできる。特異的吸着要素５２ａは少なくとも１つの吸着体を備える。別法としてまたは追加として、吸着ユニット１８ａの本体５４ａは、少なくとも部分的に特異的吸着体で形成され得る。
【００４４】
特異的吸着要素５２ａは、架橋官能化有機ポリマーなどの逆相吸着体を少なくとも１つ含む。特異的吸着要素５２ａは、好ましくは逆相吸着体として架橋エチレンビニルベンゼンを含む。特異的吸着要素５２ａは少なくとも１つのイオン交換吸着体をさらに備える。イオン交換吸着体は、陽イオン交換体または陰イオン交換体として形成され得る。この場合、イオン交換吸着体は陰イオン交換体として形成される。イオン交換吸着体はアガロースであり、アガロースは、アンモニウム基、好ましくは第４級アンモニウム基、特に好ましくはジエチルアミノエチル（ＤＥＡＥ）によって官能化される。特異的吸着要素５２ａは少なくとも１つの吸着体も含み、この吸着体は水素ブリッジによる吸着のために設けられる。この場合、水素ブリッジによる吸着のために設けられる吸着体は、線状および／または架橋ポリビニルピロリドン（ＰＶＰＰ）である。特異的吸着要素５２ａは少なくとも１つの錯化剤吸着体も備える。この場合、錯化剤吸着体はエリテンジアミン四酢酸（ＥＤＴＡ）である。別法としてまたは追加として、特異的吸着体５２ａは別の特異的吸着体を備えることができる。
【００４５】
非特異的吸着要素５０ａおよび特異的吸着要素５２ａは互いに少なくとも部分的に接触する。非特異的吸着要素５０ａおよび特異的吸着要素５２ａは互いに中に少なくとも部分的に配置され、特に互いに混合される。
【００４６】
動作状態では、清浄にされるべき水が水処理装置全体に流される（図１参照）。水が水処理装置に入る方向は、特に、水が水処理装置から出る方向に対して少なくとも略垂直である。水は、カートリッジ４０ａの開口部から水処理装置に、特に軸線方向４４ａに対して少なくとも略垂直に流入する。水は、フィルタユニット１０ａにも軸線方向４４ａに対して少なくとも略垂直に流出する。水は、フィルタ要素１２ａ、特にフィルタ要素１２ａの壁を少なくとも部分的に通過する。水は壁によってろ過される。水はフィルタ要素１２ａの内側に、特に中空チャンネル内に集まる。中空チャンネルは、水を吸着ユニット１８ａの方向に誘導する。水は吸着ユニット１８ａ内に、特に軸線方向４４ａに流通する。水に含まれている微量汚染物質は吸着ユニット１８ａによって吸着される。水は、カートリッジ連結器６２ａを通って水処理装置から特に軸線方向４４ａに流出する。
【００４７】
図６は、水処理装置および前置ろ過ユニット５６ａを有するシステムを示す。前置ろ過ユニット５６ａは、流れ方向に対して水処理装置の上流側に配置される。このシステムは、水管路内の設置のために設けられる。前置ろ過ユニット５６ａは、フィルタ膜を有する精密ろ過ユニットとして形成され、サイズが少なくとも５μｍの粗い塵埃粒子を捕らえるために設けられる。代替実施形態では、他のサイズ、例えば２０μｍを有する粗い塵埃粒子を捕らえるのに適したフィルタ膜が使用され得る。次いで、微量汚染物質は水処理装置内で除去される。
【００４８】
水処理装置は外側ハウジング８２ａ内に配置される。外側ハウジング８２ａは、水管路に連結するためのねじ山を有する出口を備える。前置ろ過ユニット５６ａは別の外側ハウジング８４ａ内に配置される。別の外側ハウジング８４ａは、水管路に連結するためのねじ山を有する連結器を備える。前置ろ過ユニット５６ａおよび水処理装置は、別の外側ハウジング８４ａに入った水が最初に前置ろ過ユニット５６ａを通過し、次いで外側ハウジング８２ａの中に流入し、そこで水が水処理装置によって処理されるように互いに対して配置される。
【００４９】
本発明の他の例示的な実施形態が図７〜図９に示されている。下記説明および図面は、根本的に例示的な諸実施形態の間の違いに限定され、原則として、同様に示されている構成要素に関して、特に類似の参照符号を有する構成要素に関して他の例示的な実施形態の図面および／または説明、特に図１〜図６を参照することもできる。例示的な諸実施形態を区別するために、文字「ａ」は、図１〜図６では例示的な実施形態の参照符号の次にくる。文字「ａ」は、図７〜図９では文字「ｂ」〜文字「ｄ」で置き換えられる。
【００５０】
図７は別の水処理装置を示す。図７の例示的な実施形態は、水処理装置の吸着ユニット１８ｂが上述の例示的な実施形態とは少なくとも根本的に異なる。この場合、吸着ユニット１８ｂは少なくとも略管状である。吸着ユニット１８ｂは管壁８８ｂを有する。管壁８８ｂは管チャンネル９０ｂを形成する。動作状態では、処理されるべき水は、軸線方向４４ｂに対して少なくとも略垂直に吸着ユニット１８ｂ内に流通する。水は、フィルタユニット１０ｂから軸線方向４４ｂに管チャンネル９０の中に誘導される。管チャンネル９０ｂは、水が軸線方向４４ｂに対して少なくとも略垂直に吸着ユニット１８ｂの管壁８８ｂを貫いて流通するように、一端部を閉鎖される。水が管壁８８ｂを通過した後、水は吸着ハウジング３４ｂに流通する。吸着ハウジング３４ｂは水を軸線方向４４ｂに偏向する。
【００５１】
図８は代替的な水処理装置を示す。図８の例示的な実施形態は、水処理装置のフィルタユニット１０ｃが管状であるという点で前の例示的な諸実施形態とは少なくとも根本的に異なる。フィルタユニット１０ｃは管壁９２ｃを備える。管壁９２ｃは、フィルタユニット１０ｃのフィルタ要素１２ｃの群２８ｃによって少なくとも部分的に形成される。フィルタ要素１２ｃは円形に配置される。フィルタ要素１２ｃがその中に配置される、水処理装置の保持要素２０ｃは円板として形成される。円板は開口部を有する。管壁９２ｃは管チャンネル９４ｃを形成する。水処理装置の吸着ハウジング３４ｃが管チャンネル９４ｃ内に配置される。フィルタユニット１０ｃがその中に少なくとも部分的に配置されるフィルタハウジング３２ｃは軸線方向４４ｃに閉鎖される。水が動作状態でフィルタ要素１２ｃから軸線方向４４ｃに流出すると、水はフィルタハウジング３２ｃによって逆方向に偏向される。水は、保持要素２０ｃの開口部から吸着ハウジング３４ｃに特に軸線方向４４ｃに流入する。
【００５２】
図９は別の代替的な水処理装置を示す。図９の例示的な実施形態は、水処理装置の吸着ユニット１８ｄが流れの方向に対して水処理装置のフィルタユニット１０ｄの上流側に配置されるという点で前の例示的な諸実施形態とは少なくとも異なる。この場合、水処理装置は、吸着ハウジングの代わりに可撓性吸着ケーシング９６ｄを備える。吸着ケーシング９６ｄは特に管状袋として形成される。吸着ケーシング９６ｄは不織布などの材料から形成される。水処理装置の吸着ユニット１８ｄは吸着ケーシング９６ｄ内に配置される。この場合、吸着ケーシング９６ｄは水処理装置のフィルタハウジング３２ｄも取り囲む。この場合、フィルタハウジング３２ｄは軸線方向４４ｄに対して垂直に透水性である。フィルタハウジング３２ｄは、フィルタユニット１０ｄと吸着ユニット１８ｄとの間の空間として機能する。フィルタユニット１０ｄはフィルタ要素１２ｄの群２８ｄを備える。フィルタ要素１２ｄは真っすぐである。この場合、水処理装置は、フィルタ要素１２ｄの端部分１４ｄ、１６ｄのための２つの保持要素２０ｄ、９８ｄを備える。
【図１】
2019515785.tif 000003
【図２】
2019515785.tif 000004
【図３】
2019515785.tif 000005
【図４】
2019515785.tif 000006
【図５】
2019515785.tif 000007
【図６】
2019515785.tif 000008
【図７】
2019515785.tif 000009
【図８】
2019515785.tif 000010
【図９】
2019515785.tif 000011
【国際調査報告】
2019515785.tif 000012
2019515785.tif 000013
2019515785.tif 000014
2019515785.tif 000015
2019515785.tif 000016
2019515785.tif 000017